(57)【要約】【課題】採光や透光が得られ、一般壁材と同様な施工方法で手間もかからず、安定した壁強度が得られ、設計し易く、意匠性に優れた耐力を有する壁構造が得られるようにする。【解決手段】柱１と構造用面材７，８とによって耐力を持つ間仕切り用の壁構造において、柱１，１間に位置する空間に照明装置４を設け、構造用面材８に多数の貫通孔９，９，…を形成し、構造用面材８の表面側に透光板１１を取り付けて、この透光板１１の表面に化粧シート１３を貼着する。照明装置４からの発光が構造用面材の貫通孔９，９，…及び透光板１１を通って化粧シート１３裏面に映しだされるようにする。【選択図】図１
2007138424.tif 000002
【特許請求の範囲】
【請求項１】
建築物の隣り合う柱間に亘って構造用面材が裏面にて取り付けられ、耐力を有する間仕切用の壁構造であって、
上記柱間に位置する空間に照明装置が設けられ、
上記構造用面材において、少なくとも上記柱に取り付けられる部位を除いた部位に、表裏面を貫通する多数の貫通孔が形成され、
上記構造用面材の表面に、透光性を有する透光板が取り付けられ、
上記透光板の表面に表面仕上げ用の化粧シートが貼着されており、
上記照明装置からの発光が構造用面材の貫通孔及び透光板を通って化粧シート裏面に映しだされるように構成されていることを特徴とする壁構造。
【請求項２】
建築物の隣り合う柱間に亘って構造用面材が裏面にて取り付けられ、耐力を有する間仕切用の壁構造であって、
上記柱間に位置する空間に照明装置が設けられ、
上記構造用面材において、少なくとも上記柱に取り付けられる部位を除いた部位に、表裏面を貫通する多数の貫通孔が形成され、
上記構造用面材の表面に、透光性を有する透光板が桟枠材又は孔あき板材を介して取り付けられ、
上記透光板の表面に表面仕上げ用の化粧シートが貼着されており、
上記照明装置からの発光が構造用面材の貫通孔及び透光板を通って化粧シート裏面に映しだされるように構成されていることを特徴とする壁構造。
【請求項３】
請求項１又は２の壁構造において、
貫通孔の構造用面材全体での開口率が１０％以下であることを特徴とする壁構造。
【発明の詳細な説明】
【技術分野】
【０００１】
本発明は、住宅等の建築物において構造用の耐力を持った間仕切用の壁構造に関し、特に、構造用面材の一部に透光性があって壁内部からの照明光を透過させることでデザイン上優位性が得られる壁構造に関する。
【背景技術】
【０００２】
住宅の耐力壁を構成する壁下地材としては各種のものがあるが、一般的なものとして、木質系では構造用合板やシージングボード等が、また無機質系では石膏ボードや火山性ガラス質複層板等がそれぞれ挙げられる。
【０００３】
近年の住宅に要求される項目として高耐力性能がある。しかし、必要な壁量を得るには開口部の箇所が限られてしまって設計の自由度が小さくなる。そのため、特許文献１には、複数の縦枠と複数の横枠とを格子状に組み合せて、縦枠と横枠との交差部毎に特徴のある接合を施すことで、採光や通風の確保ができるように壁面に開口部を形成した場合であっても大きな耐力を有して使用し得る壁構造が提案されている。
【特許文献１】特開２００３−８２７９１号公報
【発明の開示】
【発明が解決しようとする課題】
【０００４】
しかしながら、上記従来の壁構造では、枠材を格子状に組み込むものであるので、施工手間が大きく増加する。また、一般壁材に比べて特殊な施工であるため、その施工精度によって壁強度も左右され、必要壁強度の確保が不十分になる場合がある。
【０００５】
他方、一般に室内空間に個性を求める場合には、例えば壁の装飾性やデザイン性、イメージ性を検討して、表面化粧シートを変更したり、化粧材料を工夫したり、或いは間接照明で演出したりすることが行われている。しかし、これらの方法は、あくまでも既存の壁構造を前提とする範囲内でしかなく、市場ではさらなる差別化や付加価値が求められていた。
【０００６】
本発明は斯かる諸点に鑑みてなされたものであり、その目的は、採光や透光が得られ、一般壁材と同様な施工方法で手間もかからず、安定した壁強度が得られ、設計し易く、意匠性に優れた耐力を有する壁構造が得られるようにすることにある。
【課題を解決するための手段】
【０００７】
上記の目的を達成するために、この発明では、柱と柱間に取り付けられる構造用面材との間の空間に照明装置を配置し、この照明装置の光を構造用面材に貫通形成した多数の孔及び面材表面の透光板を通して化粧シートに投射させるようにした。
【０００８】
具体的には、請求項１の発明では、建築物の隣り合う柱間に亘って構造用面材が裏面にて取り付けられ、耐力を有する間仕切用の壁構造であって、上記柱間に位置する空間に照明装置が設けられ、上記構造用面材において、少なくとも上記柱に取り付けられる部位を除いた部位に、表裏面を貫通する多数の貫通孔が形成され、上記構造用面材の表面に、透光性を有する透光板が取り付けられ、上記透光板の表面に表面仕上げ用の化粧シートが貼着されており、上記照明装置からの発光が構造用面材の貫通孔及び透光板を通って化粧シート裏面に映しだされるように構成されていることを特徴としている。
【０００９】
また、請求項２の発明では、建築物の隣り合う柱間に亘って構造用面材が裏面にて取り付けられ、耐力を有する間仕切用の壁構造であって、上記柱間に位置する空間に照明装置が設けられ、上記構造用面材において、少なくとも上記柱に取り付けられる部位を除いた部位に、表裏面を貫通する多数の貫通孔が形成され、上記構造用面材の表面に、透光性を有する透光板が桟枠材又は孔あき板材を介して取り付けられ、上記透光板の表面に表面仕上げ用の化粧シートが貼着されており、上記照明装置からの発光が構造用面材の貫通孔及び透光板を通って化粧シート裏面に映しだされるように構成されていることを特徴とする。
【００１０】
上記各発明の構成によると、照明装置からの発光が構造用面材の貫通孔及び透光板を通って化粧シート裏面に映しだされるので、構造用面材を明確な耐力性能をもつ耐力面材として設計して使用できるだけでなく、面材に貫通孔が開いていることで、壁内部の照明装置からの採光や透光ができ、壁照明としての機能が付加される。
【００１１】
そして、上記構造用面材の表面側に透光板が取り付けられているので、照明装置から構造用面材の貫通孔を通った光が透光板で拡散し、柔らかな間接光が得られる。透光板の厚さが増すほど光が拡散してその大きさが大きくなるので、様々な意匠性をもつ壁材として設計することができる。しかも、透光板の表面に化粧シートが貼られているので、透光板の光が直接的に室内に入らず、さらに柔らかな室内空間を演出でき、意匠性が高いだけでなく、プライバシー確保も問題ない。尚、照明装置がＯＦＦ状態のときは通常の壁としての意匠となり、違和感が生じない。
【００１２】
特に、請求項２の発明によれば、構造用面材の表面に透光板が桟枠材又は孔あき板材を介して取り付けられ、この桟枠材又は孔あき板材によって構造用面材と透光板との間に間隔が生じるので、化粧シートに映しだされる光の大きさをさらに大きくしたり、孔あき板材の孔によって光を矩形状にしたりすることができる。また、桟枠材を格子状に組み込んだり、挟み込む孔あき板材の孔の形状を様々にしたりすることで、得られる光形状も様々にすることができ、より意匠性の高い壁材にすることができる。
【００１３】
請求項３の発明では、上記貫通孔の構造用面材全体での開口率を１０％以下とする。このことで、構造用面材の壁耐力は、貫通孔のない通常の無機質板に対して２０％程度低下するだけとなり、十分な壁耐力性能を確保することができる。
【発明の効果】
【００１４】
以上説明した如く、請求項１及び請求項２の発明によると、柱と構造用面材とによって耐力を持つ間仕切り用の壁構造において、柱間に位置する空間に照明装置を設け、構造用面材に多数の貫通孔を形成し、構造用面材の表面側に透光板を取り付け、この透光板の表面に化粧シートを貼着して、照明装置からの発光が構造用面材の貫通孔及び透光板を通って化粧シート裏面に映しだされるようにしたことにより、構造用面材を明確な耐力性能をもつ耐力面材として設計して使用できるだけでなく、構造用面材の貫通孔により壁内部の照明装置からの採光や透光を行って、壁照明としての機能を付加することができる。また、構造用面材の表面側に取り付けた透光板と、その透光板の表面に貼られた化粧シートとによって柔らかな間接光が得られ、意匠性の向上を図ることができる。
【００１５】
特に、請求項２の発明によると、構造用面材と透光板との間に介在される桟枠材又は孔あき板材によって、化粧シートに映しだされる光の大きさや光形状も様々にして、より意匠性の高い壁材にすることができる。
【００１６】
請求項３の発明によると、貫通孔の開口率を構造用面材全体で１０％以下としたことにより、十分な壁耐力性能を確保することができる。
【発明を実施するための最良の形態】
【００１７】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００１８】
（実施形態１）
図１は本発明の実施形態１に係る壁構造を示す。図１において、住宅等の建築物に立設されて間仕切り壁の一部をなす柱、２は隣り合う柱１，１間に配置された間柱であり、柱１の両側に、隣り合う柱１，１間及び間柱２に亘るように構造用面材７，８が裏面にて所定の釘或いはビスを用いて取付固定されており、壁構造は建築物の耐力を有する間仕切用の壁構造を構成している。
【００１９】
［照明装置］
上記構造用面材７，８が取り付けられた隣り合う柱１，１間に位置する空間（柱１，１と構造用面材７，８とで囲まれる空間）には照明装置４，４，…が設けられている。具体的には、図３及び図４（ａ）に示すように、柱１の間柱２との対向側面、及び間柱２の柱１との対向側面に、蛍光灯からなる複数の照明装置４，４，…が取付固定されている。
【００２０】
この照明装置４は、蛍光灯に代えて一般的な電気照明装置を用いることができ、特に照明方法を問わない。蛍光灯の他に白熱灯、或いは液晶や発光ダイオードを用いた照明装置がある。とりわけ、近年注目されている発光ダイオードの照明装置は製品寿命が長いので、メンテナンス負担が軽いだけでなく、過熱に対する問題もないので好ましい。
【００２１】
構造用面材７，８が木質材料であったり、駆体がスチールやアルミニウムでなく木材である場合には、白熱灯や蛍光灯を設置するのであれば、不燃材料で覆う等の耐熱処理を施しておくことが望ましい。さらに、必要に応じて断熱材を設けてもよい。また、照明装置４による光の強弱や彩色、或いは複数の照明装置４，４，…を効果的に用いることで、陰影も含めてさらに雰囲気ある演出が可能となる。
【００２２】
また、照明装置４の取付方法や取付個数、取付レイアウトも限定されるものではない。図４（ａ）では、蛍光灯からなる上下２つの照明装置４，４をランプ長さ方向が柱１（又は間柱２）に沿うように直列に配置しているが、図４（ｂ）では、上下２つの照明装置４，４を一部でオーバーラップするように並べて配置している。
【００２３】
［構造用面材］
そして、図５に示すように、上記柱１の一側に位置する一方の構造用面材８には、上記柱１及び間柱２に取り付けられる部位を除いた部位に、その表裏面を貫通する多数の貫通孔９，９，…が形成されている。この孔あきの構造用面材８は、柱１の他側に位置する他方の構造用面材７と同様に、火山性ガラス質複層板や石膏ボード等の無機質板、或いは構造用合板やシージングボード等の木質板が用いられる。無機質板は耐熱性を有するので、高温になり易い照明装置４を設置した場合であっても支障なく適応できる。
【００２４】
また、構造用面材８の表面（後述する透光板１１が取り付けられる面）に黒色等の塗装を施しておけば、照明装置４のＯＦＦ状態においては、壁内部が暗黒であり、貫通孔９，９，…が表面の色と同様になるので、後述の化粧シート１３の表側から貫通孔９，９，…が見え難くなって、見映えの向上を図ることができる。
【００２５】
貫通孔９，９，…を有する孔あきの構造用面材８は、元々構造用面材として用いる無機質板や木質板であるので、施工には特別な方法を用いず、所定の釘やビスで駆体に固着させることで壁材として使用できる。尚、不燃材料或いは準不燃材料である無機質板であれば、適用範囲が広いことはいうまでもない。
【００２６】
また、貫通孔９，９，…は工業的、機能的かつデザイン的に開けたものであり、その大きさは特に指定がないが、構造用面材８全体の開口率が１０％以下となるように形成するのが好ましい。この開口率が１０％以下であれば、貫通孔９，９，…のない通常の無機質板に対して壁耐力は約２０％低下するだけであるので、適切な箇所に使用できる。例えば壁倍率２．５の性能を持つ無機質板の場合は壁倍率２．０まで低下することなるが、耐力は安定しているので、適切な箇所に適切な設計をして使用することができる。全体の開口率が１０％を超えると、透光性が向上するものの、壁耐力の低下が大きく、実質的に必要な壁倍率をもつ壁材が形成されないこととなるので、好ましくない。このように貫通孔９，９，…の構造用面材８全体（壁全体）における開口率を１０％以下に抑えることで、壁耐力性能が一定に保たれる。
【００２７】
貫通孔９の形状は円形や楕円形が望ましい。矩形のようなエッジ部分を持つ貫通孔９の場合は、そのエッジの箇所に集中的に変形荷重がかかって壁体が破壊され易くなり、開口率を１０％以下に抑えても所要の壁耐力が得られないからである。また、円形或いは楕円形の貫通孔９は、破壊が生じ難い形状であるだけでなく、ドリルやＮＣルーター等で孔開け加工がし易い。
【００２８】
貫通孔９の位置は構造用面材８の周縁部を除いた側縁部から中央部であり、駆体に固着するネイルラインから５０ｍｍ以上離れていることが望ましい。ネイルラインに近すぎると、荷重が集中した場合に貫通孔９から破壊する可能性が高くなり、所望の壁耐力が得られないからである。
【００２９】
また、構造用面材８全体における貫通孔９，９，…の配置は、左右対称でも螺旋状でも、或いはデザイン的な配置でも構わないが、全体としてバランスよく配置されていることが望ましい。
【００３０】
［透光板］
図２にも示すように、上記孔あきの構造用面材８の表面に、透光性を有する透光板１１が取り付けられている。この透光板１１は透明性或いは透光性があればよく、材質や厚さは特に指定しない。例えばアクリル樹脂板、ポリカーボネート樹脂板、メタクリル樹脂板等が用いられる。
【００３１】
この透光板１１は基材である構造用面材８の表面に、例えば両面テープや接着剤等によって貼着されている。
【００３２】
［化粧シート］
さらに、上記透光板１１の表面に表面仕上げ用の薄い化粧シート１３が貼着されている。この化粧シート１３は、透光性があるものであれば種類は問わない。例えばクロス、和紙、不織布、セロファン、フィルム等が好ましい。
【００３３】
以上により壁構造が構成され、この壁構造は上記照明装置４から発せられる光が構造用面材８の貫通孔９，９，…及び透光板１１を通って化粧シート１３裏面に映しだされるようになっている。
【００３４】
尚、孔あきの構造用面材８とは異なる構造用面材７の表面には化粧板１５が固着されている。
【００３５】
したがって、上記実施形態においては、照明装置４からの発光が構造用面材８の貫通孔９，９，…及び透光板１１を通って化粧シート１３裏面に映しだされるので、構造用面材８を明確な耐力性能をもつ耐力面材として設計して使用しながら、その面材８に開けられている貫通孔９，９，…によつて壁内部の照明装置４からの採光や透光ができ、壁照明としての機能が得られる。
【００３６】
そして、上記構造用面材８の表面側に透光板１１が取り付けられているので、照明装置４から構造用面材８の貫通孔９，９，…を通った光が透光板１１で拡散し、柔らかな間接光が得られる。透光板１１の厚さが増すほど光が拡散してその大きさが大きくなり、様々な意匠性をもつ壁材として設計することができる。しかも、透光板１１の表面に薄い化粧シート１３が貼られているので、透光板１１の光が直接的に室内に入らず、さらに柔らかな室内空間を演出でき、意匠性が高いだけでなく、プライバシー確保の問題も生じない。
【００３７】
尚、照明装置４がＯＦＦ状態のときは通常の壁としての意匠となり、違和感が生じることはない。
【００３８】
（実施形態２）
図６は本発明の実施形態２を示し（尚、図１〜図５と同じ部分については同じ符号を付してその詳細な説明は省略する）、上記実施形態１では、透光板１１を構造用面材８の表面上に直接に取り付けているのに対し、透光板１１を間接的に取り付けるようにしたものである。
【００３９】
すなわち、この実施形態では、孔あきの構造用面材８の表面に透光板１１が桟枠材１７を介して取り付けられている。この桟枠材１７に代えて、多数の孔を有する孔あき板材を用いてもよい。桟枠材１７は木材、スチール、アルミニウム等が用いられ、特に材質は問わない。また、孔あき板材を用いる場合、その板材はケイカル板、石膏ボード、火山性ガラス質複層板等であり、その種類を問わない。尚、この孔あき板材の孔は、構造用面材８の貫通孔９，９，…と同一の形状又は同一の位置でなくてもよく、異なっていてもよい。
【００４０】
本実施形態のその他の構成は実施形態１と同じである。従って、この実施形態でも実施形態１と同様の作用効果を奏することができる。
【００４１】
特に、この実施形態２では、孔あきの構造用面材８の表面に透光板１１が桟枠材１７（又は孔あき板材）を介して取り付けられているので、化粧シート１３に映しだされる光の大きさをさらに大きくしたり、孔あき板材の孔によって光を矩形状にしたりすることができる。また、桟枠材１７を格子状に組み込んだり、挟み込む孔あき板材の孔形状を様々にしたりすることで、得られる光形状も様々にすることができ、より意匠性の高い壁材にすることができる。
【００４２】
（その他の実施形態）
尚、上記各実施形態では、柱１の片側のみに、貫通孔９，９，…の開いた孔あきの構造用面材８、透光板１１及び化粧シート１３を取り付けているが、柱１の両側に、孔あきの構造用面材８，８、透光板１１，１１及び化粧シート１３，１３をそれぞれ取り付けてもよい。こうすれば、壁両側の構造用面材８，８に貫通孔９，９，…が開いており、透光板１１だけでなく表面の化粧シート１３も透光性があるので、壁内部の照明装置４のみならず、その照明装置４のＯＦＦ状態で、壁反対側から昼光或いは電気照明の光を採光或いは透光させることができる。
【実施例】
【００４３】
次に、具体的に実施した実施例について説明する。
【００４４】
（実施例１）
厚さ１２．５ｍｍ、９１０×２７３０ｍｍの火山性ガラス質複層板（構造用面材）に直径１５ｍｍの円形の貫通孔を、右端及び左端から１２２．５ｍｍ離れた位置を始点として左右中央に向かって３５ｍｍ間隔の９列で、また上端から１４０ｍｍ離れた位置と下端から１７５ｍｍ離れた位置との間に３５ｍｍ間隔の７０列でそれぞれ形成した。貫通孔の合計は１２６０個であり、その全体の貫通孔による火山性ガラス質複層板での開口率は約９％（＝［｛π（１５／２）2×１２６０｝／｛９１０×２７３０｝］×１００）であった（図５参照）。
【００４５】
この火山性ガラス質複層板の表面に２ｍｍ厚さのアクリル樹脂板（透光板）を貼着し、さらに、このアクリル樹脂板の表面に和紙（化粧シート）を貼って仕上げとした。壁内部の柱には、市販の照明装置を取り付けた。
【００４６】
照明装置からの光が火山性ガラス質複層板の各貫通孔及びアクリル樹脂板を透過して表面の和紙に孔形状が滲んだように映し出されて、意匠性の高い壁が実現できた。
【００４７】
そして、火山性ガラス質複層板に対してＪＩＳ Ａ１４１４に準じて面内剪断試験を行ったところ、壁倍率２．０に相当する値を得た。
【００４８】
（比較例１）
実施例１と同じサイズで、貫通孔が開けられていない火山性ガラス質複層板に対し同様に面内剪断試験を行うと、壁倍率２．５に相当する値を得た。
【００４９】
（比較例２）
貫通孔が開けられていない厚さ１２．５ｍｍの石膏ボード（構造用面材）に対して同様に面内剪断試験を行い、壁倍率１．５に相当する値を得た。
【００５０】
この試験結果を見ると、実施例１は比較例１に比べて強度が約２０％低下しているが、壁倍率は２．０相当であり、比較例２よりも高い性能でもあり、構造用面材として適宜の使用が可能であることが判る。
【産業上の利用可能性】
【００５１】
本発明は、透光性があって壁内部からの照明光を透過させてデザイン上優位性のある壁構造が得られるので、極めて有用で産業上の利用可能性が高い。
【図面の簡単な説明】
【００５２】
【図１】図１は、本発明の実施形態１に係る壁構造を一部破断して示す斜視図である。
【図２】図２は、構造用面材、透光板及び化粧シートの積層状態を示す分解斜視図である。
【図３】図３は、柱及び間柱に対する照明装置の取付構造を示す正面図である。
【図４】図４は、柱及び間柱に対する照明装置の取付構造を示す側面図である。
【図５】図５は、構造用面材に対する貫通孔の配置を示す正面図である。
【図６】図６は、本発明の実施形態２を示す図１相当図である。
【符号の説明】
【００５３】
１  柱
２  間柱
４  照明装置
８  構造用面材
９  貫通孔
１１  透光板
１３  化粧シート
１７  桟枠材
【図１】
2007138424.tif 000003
【図２】
2007138424.tif 000004
【図３】
2007138424.tif 000005
【図４】
2007138424.tif 000006
【図５】
2007138424.tif 000007
【図６】
2007138424.tif 000008